【手続補正書】
【提出日】平成18年5月10日(2006.5.10)
【手続補正１】
【補正対象書類名】明細書
【補正対象項目名】特許請求の範囲
【補正方法】変更
【補正の内容】
【特許請求の範囲】
【請求項１】
それぞれが前面（２２）と、背面（２４）と、第１側面（２６）と、第２側面（２８）と、を画成するベース（１６）とカバー（１４）を備えるハウジング（１２）と、
少なくとも一つのテープリール（５０、５２）の一部が前記ベース（１６）内の開口部（９２、９４）を通してアクセス可能である、前記ハウジング（１２）内に配置された前記少なくとも一つのテープリール（５０、５２）と、
前記少なくとも一つのテープリール（５０、５２）により保持される記憶テープ（６２）と、
前記ベース（１６）の前記前面（２２）から前記ベース（１６）の前記第１側面（２６）に沿って延在し、前記ベース（１６）の前記第１側面（２６）の長さの約２分の１未満の長さである、前記ベース（１６）内に画成された誤挿入ノッチ（４２）と、
前記誤挿入ノッチ（４２）の前記端壁（１０２）がフィンガースイッチ（３４）と前記ベース（１６）の前記前面（２２）との間に配置される、前記ベース（１６）の前記第１側面（２６）に沿って配置された前記フィンガースイッチ（３４）を有する書き込み保護装置と、
を具備することを特徴とする、データ記憶テープカートリッジ（１０）。
【請求項２】
第１及び第２テープリール（５０、５２）の一部が前記ベース（１６）内のそれぞれの開口部（９２、９４）を通してアクセス可能である、前記ハウジング（１２）内に配置された前記第１テープリール（５０）及び第２テープリール（５２）をさらに具備することを特徴とする、請求項１記載のカートリッジ（１０）。
【請求項３】
前記誤挿入ノッチ（４２）が前記ベース（１６）の前記前面（２２）において前記ベース（１６）の前記第１側面（２６）に沿って開いており、前記誤挿入ノッチ（４２）が側壁（１００）と端壁（１０２）によって画成され、前記側壁（１００）と前記端壁（１０２）が前記ベース（１６）の平坦面（１０４）から概して垂直に延在することを特徴とする、請求項１又は２記載のカートリッジ（１０）。
【請求項４】
前記誤挿入ノッチ（４２）が前記ハウジング（１２）の高さの約５分の１の高さであることを特徴とする、請求項１乃至３のいずれか１項に記載のカートリッジ（１０）。
【請求項５】
前記データ記憶テープカートリッジ（１０）が前記記憶テープ（６２）をテープ走行路に沿って案内するための前記ハウジング（１２）内に配置されたテープガイド（５８）をさらに備え、前記テープガイド（５８）は前記ハウジング（１２）の前記前面（２２）と前記第１側面（２６）において形成されるコーナーに隣接して配置されており、さらに前記誤挿入ノッチ（４２）の前記側壁（１００）は前記テープガイド（５８）をクリアするようにその形状が定められていることを特徴とする、請求項１乃至４のいずれか１項に記載のカートリッジ（１０）。
【請求項６】
前記側壁（１００）が９２乃至９８度の角度で前記端壁（１０２）から前記ベース（１６）の前記前面（２２）に延在することを特徴とする、請求項１乃至５のいずれか１項に記載のカートリッジ（１０）。
【請求項７】
前記データ記憶テープカートリッジ（１０）が、前記カバー（１４）の前記前面（２２）から前記カバー（１４）の前記第１側面（２６）に沿って延在し、ライブラリ・システムと共に用いるように予め定められたサイズを有する、前記ハウジング（１２）の前記カバー（１４）内に画成されるライブラリ・ノッチ（４０）をさらに備え、さらに、前記誤挿入ノッチ（４２）が前記ライブラリ・ノッチ（４０）の所定のサイズに近似するサイズであることを特徴とする、請求項１乃至６のいずれか１項に記載のカートリッジ（１０）。
【請求項８】
データ記憶テープカートリッジ（１０）と記憶装置の組合せにおいて、記憶装置が受入フレーム（１１０）を有し、受入フレーム（１１０）が方向付けフィンガー（１１４）を備え、データ記憶テープカートリッジ（１０）は、
前面（２２）と、背面（２４）と、第１側面（２６）と、第２側面（２８）と、様々なコンポーネントを保持するための高さを有する使用可能内部域（９０）と、を画成する、ベース（１６）とカバー（１４）を備えるハウジング（１２）と、
第１テープリール（５０）及び第２テープリール（５２）のそれぞれの一部が前記ベース（１６）内の第１開口部（９０）及び第２開口部（９２）を通してそれぞれアクセス可能である、前記ハウジング（１２）の前記使用可能内部域（９０）内に配置された前記第１テープリール（５０）及び第２テープリール（５２）と、
前記第１テープリール（５０）及び第２テープリール（５２）に保持され、これらのテープリール間に延在する記憶テープ（６２）と、
前記ハウジング（１２）の前記前面（２２）から前記第１側面（２６）に沿って延在し、前記ハウジング（１２）の前記使用可能内部域（９０）の減少を最低限にどどめ、受入フレーム（１１０）内へのデータ記憶テープカートリッジ（１０）の挿入の際に受入フレーム（１１０）内のフィンガー（１１４）の周りに間隙を供すべく、その形状が定められた、前記ベース（１６）内に画成される誤挿入ノッチ（４２）と、
前記誤挿入ノッチ（４２）の前記端壁（１０２）がフィンガースイッチ（３４）と前記ベース（１６）の前記前面（２２）との間に配置される、前記ベース（１６）の前記第１面（２６）に沿って配置された前記フィンガースイッチ（３４）を有する書き込み保護装置と、
を具備することを特徴とする、データ記憶テープカートリッジ（１０）。
【請求項９】
前記誤挿入ノッチ（４２）が前記第１側面（２６）の長さの約３分の１未満の長さであることを特徴とする、請求項８記載のカートリッジ（１０）。
【請求項１０】
前記誤挿入ノッチ（４２）が約２３乃至３３ｍｍの長さであることを特徴とする、請求項８又は９記載のカートリッジ（１０）。
【請求項１１】
前記背面（２４）と前記第１側面（２６）により形成される前記ハウジング（１２）のコーナーに前記第１テープリール（５０）が隣接するような配置を可能にすべく前記誤挿入ノッチ（４２）のサイズが定められることを特徴とする、請求項８乃至１０のいずれか１項に記載のカートリッジ（１０）。
【請求項１２】
前記誤挿入ノッチ（４２）が側壁（１００）と端壁（１０２）により画成され、前記端壁（１０２）が前記ハウジング（１２）の前記第１側面（２６）から概して垂直に延在し、さらに前記誤挿入ノッチ（４２）の前記端壁（１０２）が前記第１テープリール（５０）と前記ハウジング（１２）の前記前面（２２）との間に配置されることを特徴とする、請求項８乃至１１のいずれか１項に記載のカートリッジ（１０）。
【請求項１３】
前記第１テープリール（５０）が前記背面（２４）と前記第１側面（２６）により形成される前記ハウジング（１２）の第１コーナーに隣接して配置され、さらに前記第２テープリール（５２）が前記前面（２２）と前記第２側面（２８）により形成される前記ハウジング（１２）の第２コーナーに隣接して配置されることを特徴とする、請求項８乃至１２のいずれか１項に記載のカートリッジ（１０）。
【請求項１４】
前記誤挿入ノッチ（４２）が約３．８乃至１０．２ｍｍの幅であることを特徴とする、請求項８乃至１３のいずれか１項に記載のカートリッジ（１０）。
【請求項１５】
前記誤挿入ノッチ（４２）が約３．８乃至８．９ｍｍの深さであることを特徴とする、請求項８乃至１４のいずれか１項に記載のカートリッジ（１０）。